(57)【要約】【課題】電源を必要とせず、機構がシンプルであり、携帯に優れるとともにコンタクトレンズの洗浄、すすぎ、保存までをすべて行うことができるコンタクトレンズ洗浄保存容器の提供する。【解決手段】洗浄保存容器は、レンズ収容部３８を有する容器本体１０と、容器本体１０の開口１５を液密状に閉塞可能であり、かつ容器本体１０に対して着脱自在に設けられた蓋２０を有する。蓋２０には外部操作可能な操作摘み２６と出力軸３５を有するとともに出力軸３５に洗浄部材４３を有する歯車機構３０が設けられ、容器本体１０の底部１２が容器本体１０内に変形可能に形成され、洗浄部材４３と同底部１２間にコンタクトレンズＣＬを挟み込み可能にする。【選択図】図１
2009069413.tif 000002
【特許請求の範囲】
【請求項１】
コンタクトレンズ収容部を有する容器本体と、前記容器本体の開口を液密状に閉塞可能であり、かつ容器本体に対して着脱自在に設けられた蓋を有し、
前記蓋には、外部操作可能な手動操作部と出力軸を有するとともに同出力軸に洗浄部材を有する回転駆動機構が設けられ、
前記容器本体の底部が容器本体内に変形可能に形成され、前記洗浄部材と同底部間にコンタクトレンズを挟み込み可能にしたことを特徴とするコンタクトレンズ洗浄保存容器。
【請求項２】
前記底部には、前記出力軸に設けられた洗浄部材と協働して前記コンタクトレンズを挟み込みして洗浄する洗浄部材が設けられていることを特徴とする請求項１に記載のコンタクトレンズ洗浄保存容器。
【請求項３】
前記出力軸に設けられた前記洗浄部材の取付け及び前記底部に設けられた前記洗浄部材の取付けのうち、少なくともいずれか一方の取付けは、着脱自在にされていることを特徴とする請求項２に記載のコンタクトレンズ洗浄保存容器。
【請求項４】
前記回転駆動機構が歯車機構から構成されていることを特徴とする請求項１乃至請求項３のうちいずれか１項に記載のコンタクトレンズ洗浄保存容器。
【請求項５】
前記容器本体には、排水プレートが設けられていることを特徴とする請求項１乃至請求項４のうちいずれか１項に記載のコンタクトレンズ洗浄保存容器。
【請求項６】
前記洗浄部材が、不織布、シボ加工された弾性体、発泡性の弾性体の中から選択された１つの材質からなることを特徴とする請求項１乃至請求項５のうちいずれか１項に記載のコンタクトレンズ洗浄保存容器。
【発明の詳細な説明】
【技術分野】
【０００１】
この発明は、酸素透過性ハードコンタクトレンズやソフトコンタクトレンズの洗浄、すすぎ、保存が可能なコンタクトレンズ洗浄保存容器に係り、特に、小型で電源などの特別な装置も不要であるため、携帯が可能な手動操作式のコンタクトレンズ洗浄保存容器に関するものである。
【背景技術】
【０００２】
従来から、ハードコンタクトレンズやソフトコンタクトレンズは、装用の際に涙液や眼脂に由来する蛋白質、脂質等の汚れなどが付着するため、コンタクトレンズを安全に且つ快適に装用するためには、汚れを洗浄するだけでなく、殺菌・消毒をすることが必要となる。洗浄に当っては、従来、人が専用の洗浄液を用い、指で直接擦り洗いを行っていた。そのため、指先を予め洗浄して、油脂分などの汚れを取り除く必要がある。又、付け爪や、長い爪のほか、手荒れした指先でコンタクトレンズを傷つける虞があるほか、コンタクトレンズが小さく薄いことから紛失の虞もある。
【０００３】
洗浄において、擦り洗いは非常に重要であるが、擦り洗いの具合と、それに掛ける時間には個人差があり、適切な洗浄がなされていない場合もある。適切な洗浄がなされない場合、レンズの汚れに起因すると考えられる不具合（すなわち、眼疾患）を引き起こすことも少なくない。これらの問題を解消するために、パッドでレンズを挟み回動して洗浄する装置（特許文献１、特許文献２）や、溶液を振動することで洗浄を行う洗浄する装置が提案されている。
【特許文献１】特開平２−１２３３２号公報
【特許文献２】特開平３−１６０４１２号公報
【発明の開示】
【発明が解決しようとする課題】
【０００４】
ところが、特許文献１や、溶液を振動することで洗浄を行う装置は電動であって、電源が必要であることから、携帯性に欠け、簡便性だけでなく、メンテナンスの面でも劣る問題がある。又、特許文献２では、渦巻きバネを蓄勢させてこの渦巻きバネの復元力により、パフやブラシを回転させてコンタクトレンズを洗浄するようにしている。しかし、特許文献２を含め、従来の洗浄器は洗浄のみを目的としており、従来の洗浄器は、保存ケースとして使用が可能なほどの密閉性がなく、洗浄器とは別に保存ケースが必要となる。このため、すすぎ時にレンズを指やピンセットなどで取り出し、使用しない場合は、改めて保存ケースに移し替える必要があり、この際に紛失や汚染の虞もある。
【０００５】
本発明は、電源を必要とせず、機構がシンプルであり、携帯に優れるとともにコンタクトレンズの洗浄、すすぎ、保存までをすべて行うことができるコンタクトレンズ洗浄保存容器の提供を目的としている。
【課題を解決するための手段】
【０００６】
請求項１の発明は、コンタクトレンズ収容部を有する容器本体と、前記容器本体の開口を液密状に閉塞可能であり、かつ容器本体に対して着脱自在に設けられた蓋を有し、前記蓋には、外部操作可能な手動操作部と出力軸を有するとともに同出力軸に洗浄部材を有する回転駆動機構が設けられ、前記容器本体の底部が容器本体内に変形可能に形成され、前記洗浄部材と同底部間にコンタクトレンズを挟み込み可能にしたことを特徴とするコンタクトレンズ洗浄保存容器を要旨とするものである。
【０００７】
請求項１の発明では、容器本体内に洗浄液とコンタクトレンズが入れられて、容器本体の開口が蓋で閉塞された状態で、手動操作部で回転駆動機構が回転されると、回転駆動機構の出力軸に設けられた洗浄部材と底部間にコンタクトレンズが挟み込みされた状態で同コンタクトレンズが洗浄される。又、コンタクトレンズが洗浄された後は、蓋が容器本体から取り外されて、洗浄液が捨てられる。この後、容器本体に新たな洗浄液が入れられて、蓋が容器本体の開口で閉塞されることによりコンタクトレンズが保存される。
【０００８】
請求項２の発明は、請求項１において、前記底部には、前記出力軸に設けられた洗浄部材と協働して前記コンタクトレンズを挟み込みして洗浄する洗浄部材が設けられていることを特徴とする。
【０００９】
請求項２の発明によれば、底部を変形して出力軸に設けられた洗浄部材と出力軸に設けられた洗浄部材間にコンタクトレンズを挟み込みした状態で、回転駆動機構を回転操作すると、コンタクトレンズが洗浄される。
【００１０】
請求項３の発明は、請求項２において、前記出力軸に設けられた前記洗浄部材の取付け及び前記底部に設けられた前記洗浄部材の取付けのうち、少なくともいずれか一方の取付けは、着脱自在にされていることを特徴とする。
【００１１】
請求項３の発明によれば、洗浄部材の取付が着脱自在であるため、汚れた洗浄部材を新しい洗浄部材と交換して使用する。
請求項４の発明は、請求項１において、前記回転駆動機構が歯車機構から構成されていることを特徴とする。
【００１２】
請求項４の発明では、回転駆動機構が、回転歯車機構により構成されていることにより、回転駆動機構の構成を簡単なものにすることができる。
請求項５の発明は、請求項１乃至請求項４のうちいずれか１項において、前記容器本体には、排水プレートが設けられていることを特徴とする。
【００１３】
請求項５の発明によれば、排水プレートにより、容器本体内の洗浄液を捨てる際に、容器本体内のコンタクトレンズが一緒に流れ出ることが防止される。
請求項６の発明は、請求項１乃至請求項５のうちいずれか１項において、前記洗浄部材が、不織布、シボ加工された弾性体、発泡性の弾性体の中から選択された１つの材質からなることを特徴とする。
【００１４】
請求項６の発明によれば、洗浄部材が、不織布、シボ加工された弾性体、発泡性の弾性体から選択された材質からなると、コンタクトレンズの洗浄が好適に行われる。
【発明の効果】
【００１５】
請求項１の発明によれば、電源を必要とせず、機構がシンプルであり、携帯に優れるとともにコンタクトレンズの洗浄、すすぎ、保存までをすべて行うことができる。
請求項２の発明によれば、底部を変形して出力軸に設けられた洗浄部材と底部に設けられた洗浄部材間にコンタクトレンズを挟み込みした状態で、回転駆動機構を回転操作すると、コンタクトレンズを好適に洗浄することができる。
【００１６】
請求項３の発明によれば、洗浄部材の取付が着脱自在であるため、汚れた洗浄部材を新しい洗浄部材と交換して使用することができる。
請求項４の発明によれば、回転駆動機構が、回転歯車機構により構成されていることにより、回転駆動機構の構成を簡単なものにすることができる。
【００１７】
請求項５の発明によれば、排水プレートにより、容器本体内の洗浄液を捨てる際に、容器本体内のコンタクトレンズが一緒に流れ出ることが防止できる。
請求項６の発明によれば、洗浄部材が、不織布、シボ加工された弾性体、発泡性の弾性体から選択された材質からなると、コンタクトレンズの洗浄を好適に行うことができる。
【発明を実施するための最良の形態】
【００１８】
以下、本発明のコンタクトレンズ洗浄保存容器（以下、単に洗浄保存容器という）を具体化した一実施形態を図１〜３を参照して説明する。
図１に示すように洗浄保存容器の容器本体１０は、円筒状に形成された剛性を有する筒部１１と、同筒部１１を閉塞する底部１２とから構成されている。筒部１１は、本実施形態では透明な合成樹脂から形成されているが、半透明或いは不透明な合成樹脂で形成されていてもよい。筒部１１が透明な合成樹脂で形成されている場合には、レンズ収容部３８が視認できる。
【００１９】
底部１２は、筒部１１の下部周縁に溶着或いは接着固定された底壁１３と、底壁１３の上面の周縁部に溶着或いは接着されたフィルム１４とからなり、二重構造となっている。底壁１３及びフィルム１４はガスバリア性がある公知のもので構成すればよい。本実施形態では、弾性を有するように、例えば、底壁１３を、フッ素系の合成ゴム等からなる単層の合成ゴムで構成したり、或いは、エラストマー層とゴム層とを複数層合わせたもので形成してもよい。又、フィルム１４は、例えばガスバリア性のあるポリプロピレン等で形成することができる。
【００２０】
そして、底壁１３とフィルム１４との間に、空気や窒素等のガスが封入されて、フィルム１４の中央部が図１に示すように球状の曲面を有するように椀状に膨らみ形成されている。そして、底壁１３の下面外部から指等で上方へ押圧することにより、すなわち、フィルム１４の中央上面を容器本体１０内へ、すなわち、上方へ変形させて変位させることが可能となっている。
【００２１】
容器本体１０の筒部１１の上部周縁は、雄ネジ１８が形成されている。容器本体１０上部の開口１５の一部には、排水プレート１６が形成され、排水プレート１６に設けられた複数の透孔１７から、容器本体１０内の洗浄液の排出が可能となっている。透孔１７はコンタクトレンズの直径よりも小さい直径を有する。
【００２２】
容器本体１０に取付される蓋２０は、有蓋円筒状に形成されるとともにその周壁２１の内周面に雌ネジ２２が形成され、容器本体１０の雄ネジ１８に着脱自在に螺合される。蓋２０が筒部１１の雄ネジ１８に螺合されることにより、蓋２０の容器本体１０の開口１５を液密状に閉塞するようになっている。
【００２３】
蓋２０の上面の中央部には、軸孔２４が上下方向に透設されている。軸孔２４には、操作軸２５が回動自在に挿通支持され、操作軸２５の上端には蓋２０の径よりも小径の円柱状の操作摘み２６が固定されている。操作摘み２６は手動操作部に相当する。操作軸２５の周面には周溝２７が形成されて同周溝にシール材としてのＯリング２８が嵌合されている。Ｏリング２８により、操作軸２５と軸孔２４内周面から洗浄液の漏れが防止されている。
【００２４】
蓋２０の下方にはブラケット２９を介して回転駆動機構としての歯車機構３０が設けられている。すなわち、蓋２０の内頂面とブラケット２９間には、軸３１の両端が回動自在に支持され、軸３１の上下に小径の中間歯車３２、大径の中間歯車３３が設けられている。又、中間歯車３２には、操作軸２５の下端に固定されるとともに、中間歯車３２よりも大径を有する歯車３４が噛合されている。又、操作軸２５の下方において、ブラケット２９には、出力軸３５が上下方向に延びるようにかつ回転自在に挿通支持されている。出力軸３５の上端には、中間歯車３３よりも小径の歯車３６が固定され、中間歯車３３に対して噛合されている。軸３１、中間歯車３２，３３、出力軸３５、歯車３４，３６により歯車機構３０が構成されている。
【００２５】
ブラケット２９から下方に突出された出力軸３５の下端には、図１、図３に示すように面ファスナー４０を介して洗浄部材４３が着脱自在に取付けされている。面ファスナー４０は、本実施形態では、公知のフック面を有するフック部材４１が出力軸３５の端部に固定され、ループ面を有するループ部材４２が洗浄部材４３の中央上面に設けられている。洗浄部材４３は、球状の凹面を有するように型押し形成されている。洗浄部材４３の材質は、例えば、不織布や、シボ加工された弾性体、或いは発泡性の弾性体で形成されている。又、前記弾性体は、合成ゴムや、或いはエラストマーで形成されている。
【００２６】
又、フィルム１４の中央部上面には、面ファスナー５０を介して洗浄部材５３が着脱自在に取付けされている。面ファスナー５０は、本実施形態では、公知のフック面を有するフック部材５１がフィルム１４の上面に固定され、ループ面を有するループ部材５２が洗浄部材５３の中央下面に設けられている。洗浄部材５３は、球状の凸面を有するように型押し形成されている。洗浄部材５３の材質は、例えば、不織布や、シボ加工された弾性体、或いは発泡性の弾性体から選択されている。前記弾性体としては、例えば合成ゴム、或いはエラストマーで形成するのが好ましい。
【００２７】
なお、本実施形態では、洗浄部材４３と洗浄部材５３とは不織布で形成されている。又、洗浄部材４３の不織布を構成する繊維径は洗浄部材５３の不織布を構成する繊維径よりも小径となっており、洗浄部材４３の方が洗浄部材５３よりもその表面が滑らかになるようにされている。このため、コンタクトレンズＣＬの表面に洗浄部材４３，５３が接した場合、洗浄部材４３の方が洗浄部材５３よりもコンタクトレンズＣＬに対して滑りやすくなっている。なお、洗浄部材４３，５３を弾性体で形成する場合は、コンタクトレンズＣＬに洗浄部材４３，５３が接したとき、洗浄部材４３の方が洗浄部材５３よりも滑りやすくなるように、すなわち、洗浄部材４３の弾性体の摩擦係数が洗浄部材５３の弾性体の摩擦係数よりも小さくなる材質を選定したり、表面処理を行えばよい。
【００２８】
本実施形態では、容器本体１０内において、ブラケット２９で囲まれた空間を除いた前記フィルム１４と、蓋２０で囲まれた空間が、レンズ収容部３８となる。
（実施形態の作用）
さて、上記のように構成された洗浄保存容器の使用方法について説明する。
【００２９】
使用者はコンタクトレンズＣＬを洗浄液Ｓとともに、容器本体１０のレンズ収容部３８内に入れる。このとき、洗浄部材４３の入れる量は、図１に示すように満杯ではなく筒部１１の上部に空気が残るようにする。又、使用者はコンタクトレンズＣＬの凹面が洗浄部材５３の凸面に合うようにコンタクトレンズＣＬを配置する。
【００３０】
次に、蓋２０を容器本体１０に対して螺合して、開口１５を閉塞する。この後、底部１２に使用者は指を当てて容器本体１０内に押圧する。なお、このとき、容器本体１０の上部空間に空気が入っているため、押圧による上方への底部１２の変形が阻害されることはない。この押圧により、コンタクトレンズＣＬは、洗浄部材５３と洗浄部材４３間に把持される。
【００３１】
そして、使用者は、操作摘み２６を把持して回転させると、歯車機構３０を介して出力軸３５が操作摘み２６の回転速度よりも増速回転される。洗浄部材４３は出力軸３５により回転され、コンタクトレンズＣＬの凸面側の表面を擦り洗いする。この場合、説明書等で操作摘み２６の回転数を規定して使用者がその回転数通りに操作摘み２６を回転操作すれば、この規定された回転数よりも増幅された回転数でコンタクトレンズＣＬが洗浄できるので、個人差のない洗浄を行うことができる。
【００３２】
又、底部１２を押圧していない状態では、コンタクトレンズＣＬに対する洗浄部材４３，５３の挟持されていない状態となる。この状態で、操作摘み２６を回転操作すると、歯車機構３０，出力軸３５を介して洗浄部材４３が回転され、コンタクトレンズＣＬに対して流水洗浄が可能となる。
【００３３】
前述した擦り洗いが行われた後、使用者は蓋２０を容器本体１０から取り外し、容器本体１０を傾けて、排水プレート１６を介して容器本体１０内の洗浄液を排出する。この排水時においては、排水プレート１６が設けられているため、コンタクトレンズＣＬが、容器本体１０から流失することが防止される。この後、使用者は再度洗浄液を容器本体１０内に入れ、蓋２０を容器本体１０に螺合することにより、洗浄保存容器を保存ケースとして使用することができる。
【００３４】
なお、洗浄により、洗浄部材４３，５３が汚れた場合には、面ファスナー４０，５０により、取り外し可能であるため、清潔な新しい洗浄部材４３，５３と取替すればよい。
さて、上記のように構成された洗浄保存容器の作用効果について説明する。
【００３５】
（１）  本実施形態の洗浄保存容器は、レンズ収容部３８を有する容器本体１０と、容器本体１０の開口１５を液密状に閉塞可能であり、かつ容器本体１０に対して着脱自在に設けられた蓋２０を有する。そして、蓋２０には、外部操作可能な操作摘み２６（手動操作部）と出力軸３５を有するとともに出力軸３５に洗浄部材４３を有する歯車機構３０（回転駆動機構）が設けられ、容器本体１０の底部１２が容器本体１０内に変形可能に形成され、洗浄部材４３と同底部１２間にコンタクトレンズＣＬを挟み込み可能にした。この結果、本実施形態の洗浄保存容器は電源を必要とせず、機構がシンプルであり、携帯に優れるとともにコンタクトレンズの洗浄、すすぎ、保存までをすべて行うことができる効果を奏する。
【００３６】
（２）  又、本実施形態の洗浄保存容器は、底部１２には、出力軸３５に設けられた洗浄部材４３と協働してコンタクトレンズＣＬを挟み込みして洗浄する洗浄部材５３が設けられている。この結果、底部１２を変形して出力軸３５に設けられた洗浄部材４３と底部１２に設けられた洗浄部材５３間にコンタクトレンズＣＬを挟み込みした状態で、歯車機構３０（回転駆動機構）を回転操作すると、コンタクトレンズを好適に洗浄することができる。
【００３７】
（３）  又、本実施形態の洗浄保存容器は、出力軸３５に設けられた洗浄部材４３の取付け及び底部１２に設けられた洗浄部材５３の取付けは、着脱自在にされている。この結果、本実施形態では、洗浄部材４３，５３の取付けが着脱自在であるため、汚れた洗浄部材を新しい洗浄部材と交換して使用することができる。
【００３８】
（４）  本実施形態の洗浄保存容器は、回転駆動機構として歯車機構３０から構成されていることにより、回転駆動機構の構成を簡単なものにすることができる。
（５）  本実施形態の洗浄保存容器は、容器本体１０に、排水プレート１６が設けられている。この結果、排水プレート１６により、容器本体１０内の洗浄液を捨てる際に、容器本体１０内のコンタクトレンズＣＬが一緒に流れ出ることがない。
【００３９】
（６）  本実施形態の洗浄保存容器は、洗浄部材４３，５３が、不織布からなるようにしているため、コンタクトレンズＣＬの洗浄を好適に行うことができる。
なお、本発明の実施形態は、前記各実施形態に限定されるものではなく、下記のように構成を変更してもよい。
【００４０】
○  前記実施形態では、蓋２０と容器本体１０とは、互いに螺合するようにしたが、液密状に開口１５を形成することができるのであれば、雄ネジ１８，雌ネジ２２を省略して蓋２０を容器本体１０に対して着脱自在に外嵌させてもよい。この場合、蓋２０の周壁２１内面に周溝を形成してＯリング等のシール材を嵌合したり、或いは、容器本体１０上部周縁に周溝を設けてＯリング等のシール材を嵌合して、蓋２０と容器本体１０とを液密状にして開口１５を閉塞してもよい。
【００４１】
○  又、蓋２０を容器本体１０に外嵌させる場合、蓋２０と容器本体１０とをヒンジにて連結してもよい。
○  前記実施形態の操作摘み２６の代わりに図４に示すように、操作軸２５の上端にクランク状の操作ハンドル４４を設けてもよい。
【００４２】
○  又、前記実施形態の操作摘み２６の代わりに図５に示すように、操作軸２５の上端に蓋２０と同径の操作摘み４８を設けてもよい。
○  前記実施形態では、回転駆動機構は、蓋２０のレンズ収容部３８側に設けたが、蓋２０の上面に設けられていてもよい。
【００４３】
○  前記実施形態では、底壁１３を弾性を有するように構成したが、必ずしも、弾性を有する必要はなく、可撓性の材質で薄く形成してある程度の剛性を有するようにしてもよい。例えば、合成樹脂フィルムにて形成するようにしてもよい。この例として、前記実施形態を図６に示すように変更してもよい。この例では、洗浄保存容器の底部１２が可撓性を有する合成樹脂フィルムで形成されている。以下、図１の実施形態の構成と異なる構成を中心に説明し、前記実施形態と同一構成については同一符号を付す。なお、説明の便宜上、図６、図７の底部１２の合成樹脂フィルムの厚みは誇張して図示されている。
【００４４】
この例の洗浄保存容器は、底部１２の周部が筒部１１の上下方向の中央部寄りの部位に溶着等により一体に連結されている。そして、底部１２の全体は下方に球状の凸面を有するように形成されている。このように、底部１２の全体は下方に球状の凸面を有するように形成され、可撓性を有することから、底部１２の中央部は、上方への湾曲変形が可能である。
【００４５】
底部１２の中央部の上面には、面ファスナー５０を介して洗浄部材５３が着脱自在に取付けされている。面ファスナー５０は、フック部材５１が底部１２の上面に固定され、ループ面を有するループ部材５２が洗浄部材５３の中央下面に設けられている。上記の洗浄保存容器は、コンタクトレンズＣＬを洗浄しない場合には、図６に示すように底部１２が可撓性を有しており、かつ、保存液Ｓが収納されているため、保存液Ｓの重量により、その中央部が下方に突出している。コンタクトレンズＣＬを洗浄する場合には、図７に示すように、底部１２の中央部を下方から指で押圧する。この指の押圧により、底部１２が上方に凸となるように変形され、コンタクトレンズＣＬが洗浄部材５３と洗浄部材４３間に挟まれた状態になる。この状態で、操作摘み２６を前記実施形態と同様に回転操作すれば、第１実施形態と同様にコンタクトレンズＣＬを擦り洗いすることができる。擦り洗いが終了して、指の底部１２対する押圧を解除すれば、保存液Ｓの重量により底部１２が図６に示す元の状態に復帰する。
【００４６】
○  又、前記実施形態では、透孔１７を有する排水プレート１６を形成したが、図８に示すように蓋２０の周縁部寄りの部位に、複数の透孔４５を併設してもよい。そして、透孔４５の下方において、容器本体１０の開口１５（すなわち、筒部１１の上部）には、閉塞板４６が形成されている。閉塞板４６は、図８（ａ）、及び図９に示すように容器本体１０に対して螺合されて蓋２０が完全に閉められている状態で各透孔４５下部開口を閉塞するように設けられている。完全に閉められている状態の蓋２０の位置を閉塞回転位置という。そして、この閉塞回転位置から例えば、９０度〜２７０度の角度で蓋２０を外す方向に回転させると、透孔４５が閉塞板４６と相対しなくなるため、図８（ｂ）に示すように透孔４５に対する閉塞板４６の閉塞状態が解除されるようになっている。この状態で、容器本体１０を傾ければ容器本体１０内に収納された保存液Ｓが透孔４５から排水できるようになっている。
【００４７】
従って、コンタクトレンズＣＬの洗浄時には、蓋２０を閉塞回転位置に位置させた状態で、擦り洗いを行うと、透孔４５が閉塞されているため、透孔４５から保存液Ｓがこぼれでることがない。又、洗浄後においては、蓋２０を閉塞回転位置から前記角度範囲に回転させれば、透孔４５の閉塞が解除されるため、透孔４５を介して保存液Ｓを排水することができる。又、透孔４５が開放された状態では、透孔４５を介して容器本体１０内に洗浄液Ｓを注入することも可能となる。
【００４８】
○  図８の例では、透孔４５の閉塞を行うために、閉塞板４６を容器本体１０に設けたが、閉塞板４６の代わりに蓋２０に透孔４５の閉塞を行う開閉部を設けてもよい。例えば、開閉部として、板状に形成した開閉板をヒンジを介して蓋２０に連結して、開閉板を開閉することにより透孔４５を閉塞及び開放可能にしたり、或いは、開閉部として、開閉板を蓋２０に対して全ての透孔４５を閉塞する閉塞位置と、全ての透孔４５を開放するオープン位置の間をスライド自在に設けた構成にしたりしてもよい。
【００４９】
○  前記実施形態では、フィルム１４に洗浄部材５３を面ファスナー５０を介して取付けしたが、面ファスナー５０及び洗浄部材５３を省略してもよい。この場合は、コンタクトレンズＣＬは洗浄部材４３にてのみ洗浄されるが、これでもよい。
【００５０】
○  前記実施形態では、洗浄部材４３，５３の両方を交換可能にしたが、いずれか一方のみを交換可能にしてもよい。
○  前記実施形態では、洗浄部材４３，５３の両方を面ファスナー４０，５０により交換可能にしたが、洗浄部材４３，５３と、出力軸３５，フィルム１４に対する取付け取り外し可能な手段は面ファスナーに限定されるものではなく、粘着力の弱い両面テープを使用したりする等、適宜の手段に変更してもよい。
【００５１】
○  前記実施形態の構成中、面ファスナー５０、洗浄部材５３を省略してもよい。この場合、フィルム１４のコンタクトレンズＣＬを載せる部位には底部１２と洗浄部材４３とで挟持して洗浄部材４３が回転する場合、コンタクトレンズＣＬが回転しないようにかつコンタクトレンズＣＬが傷つかないように粗面化にしてもよい。
【００５２】
○  前記実施形態では、洗浄部材４３，５３により挟持した際に、洗浄部材５３の摩擦力を洗浄部材４３よりも大きくすることにより洗浄部材４３がコンタクトレンズＣＬに対して相対回転するようにしたが、洗浄部材５３をコンタクトレンズＣＬに対して相対回転させるようにしてもよい。すなわち、コンタクトレンズＣＬに対する洗浄部材４３と洗浄部材５３の摩擦力のうち、洗浄部材４３の摩擦力を大きくするように材質等を調整してもよい。このようにすると、コンタクトレンズＣＬの凹面側の擦り洗いを行うこともできる。
【図面の簡単な説明】
【００５３】
【図１】本発明を具体化した一実施形態の容器本体の断面図。
【図２】同じく容器本体の斜視図
【図３】出力軸に取付された洗浄部材の斜視図。
【図４】他の実施形態の蓋の要部断面図。
【図５】他の実施形態の蓋の要部断面図。
【図６】他の実施形態の容器本体の断面図。
【図７】同じく他の実施形態の容器本体の断面図。
【図８】（ａ）は他の実施形態の蓋の要部断面図、（ｂ）は同じく蓋の要部断面図。
【図９】同じく他の実施形態の容器本体の斜視図。
【符号の説明】
【００５４】
１０…容器本体、１１…筒部、１２…底部、１３…底壁、
１４…フィルム、１５…開口、１６…排水プレート、
１７…透孔、１８…雄ネジ、
２０…蓋、２１…周壁、２２…雌ネジ、２４…軸孔、２５…操作軸、
２６…操作摘み（手動操作部）、
３０…歯車機構（回転駆動機構）、
３５…出力軸、３６…歯車、
３８…コンタクトレンズ収容部、
４０…面ファスナー、４１…フック部材、４２…ループ部材
４３…洗浄部材、４４…操作ハンドル
５０…面ファスナー、５１…フック部材、５２…ループ部材
５３…洗浄部材、
ＣＬ…コンタクトレンズ、Ｓ…洗浄液。
【図１】
2009069413.tif 000003
【図２】
2009069413.tif 000004
【図３】
2009069413.tif 000005
【図４】
2009069413.tif 000006
【図５】
2009069413.tif 000007
【図６】
2009069413.tif 000008
【図７】
2009069413.tif 000009
【図８】
2009069413.tif 000010
【図９】
2009069413.tif 000011